(57)【要約】【課題】  一定のかしめ度合いでかしめることができ、操作労力を軽減し得る、半自動式のカシメ機を提供する。【解決手段】  基台部２と、回転テーブル３と、水平軸回りに回動操作可能に支持されたレバーハンドル５と、レバーハンドルの回動操作に連動して上下動する本体部６と、駆動モータ７の回転軸に着脱可能に取り付けられたキャップ押え部８と、進退動自在に支持され且つ後退方向に弾性付勢されたスイライド部９と、回転自在且つ着脱可能に取り付けられたカシメローラ１０と、両端が所定角度範囲で揺動自在となるように支持され一端側がスライド部と係合し、揺動に伴いスライド部を進出動させる揺動体１１と、本体部の下降時に揺動体の他端側に当接して揺動体を押圧することにより揺動体を揺動させてスイライド部を進出動させる押圧部と、を備える。【選択図】  図１
0003161429.tif 000002
【実用新案登録請求の範囲】
【請求項１】
基台部と、
前記基台部上に回転自在に設けられた回転テーブルと、
該基台部に立設固定された支持部と、
該支持部に、水平軸回りに回動操作可能に支持されたレバーハンドルと、
前記支持部に上下動可能に支持され、該レバーハンドルの回動操作に連動して上下動する本体部と、
前記本体部に固定され、上下方向に回転軸が向けられた駆動モータと、
前記駆動モータの回転軸に着脱可能に取り付けられたキャップ押え部と、
前記本体部の下方で前記支持部に水平方向に進退動自在に支持され且つ後退方向に弾性付勢されたスイライド部と、
前記スライド部の先端部に回転自在且つ着脱可能に取り付けられたカシメローラと、
両端が所定角度範囲で揺動自在となるように両端間が前記支持部に支持されるとともに、一端側が前記スライド部と係合し、揺動に伴い前記スライド部を進出動させる揺動体と、
前記本体部の下部に突出状に設けられ、該本体部の下降時に前記揺動体の他端側に当接して該揺動体を押圧することにより該揺動体を揺動させて前記スイライド部を進出動させる押圧部と、
を備えることを特徴とするカシメ機。
【請求項２】
かしめるべきキャップを嵌着した容器の周側面の２か所に当接可能な一対のテーパー面を備え且つ前記回転テーブル上で前後移動可能に設置されたガイド体と、該ガイド体に係合させたネジにより該ガイド体の前後移動位置を調節する位置調節機構と、を更に備えることを特徴とする請求項１に記載のカシメ機。
【請求項３】
前記レバーハンドルのハンドル部に、前記駆動モータの起動スイッチが取り付けられていることを特徴とする請求項１又は２に記載のカシメ機。
【請求項４】
前記キャップ押え部がかしめるべきキャップに当接した後に前記カシメローラが該キャップの下部周囲に当接するように、前記キャップ押え部と前記押圧部の高さ位置が設定されていることを特徴とする請求項１〜３の何れかに記載のカシメ機。
【請求項５】
前記押圧部が、高さ位置調節機構を備えることを特徴とする請求項１〜４の何れかに記載のカシメ機。
【考案の詳細な説明】
【技術分野】
【０００１】
本考案は、薬品等の容器又は瓶の口に栓をした外側にアルミニウムキャップ等のキャップをかしめて栓を緊締する場合に使用する、半自動のカシメ機に関する。
【背景技術】
【０００２】
従来、カシメ機としては、完全に手動式のものから、全自動式のものまで種々提供されている。完全に手動式のカシメ機は、例えば、図７に示すように、ペンチのようなハンドルの先にコレットチャックのようなカシメ爪がついている。斯かる完全手動式のカシメ機は、隣り合うカシメ爪の間に間隙があり、金属製のキャップをかしめると金属カスが生じ、その金属カスがカシメ爪の間隙に噛みこみ、カシメ操作を阻害することが多い。一方、全自動式のカシメ機は高価である。
【０００３】
半自動のカシメ機としては、従来、キャップを仮付けした容器を上下から回転自在に保持し、カシメローラを支持している操作レバーを鉛直方向に延びる操作軸に固定し、該操作レバーを水平面内で回動させることにより、カシメローラをキャップの下部周囲に押しつけ、容器の上部を押えているキャップ押え座をモータによって回転駆動させて、キャップの下部周囲をかしめるカシメ機が知られている（例えば、特許文献１参照）。
【先行技術文献】
【特許文献】
【０００４】
【特許文献１】実公昭６０−３１１９号公報
【考案の開示】
【考案が解決しようとする課題】
【０００５】
しかしながら、上記従来の半自動カシメ機は、カシメローラを水平面内で円弧運動させてキャップに接触させるが、かしめ時の位置決めが不安定であり、カシメ度合いにバラツキを生じる。また、カシメローラの操作レバーを水平方向へ回動させるものであるが、水平方向の操作は腕が疲れやすい。
【０００６】
本考案は、上記従来の半自動カシメ機の問題を解消することができる、半自動のカシメ機を提供することを主たる目的とする。
【課題を解決するための手段】
【０００７】
上記目的を達成するため、本考案に係るカシメ機は、基台部と、前記基台部上に回転自在に設けられた回転テーブルと、該基台部に立設固定された支持部と、該支持部に水平軸回りに回動操作可能に支持されたレバーハンドルと、前記支持部に上下動可能に支持され、該レバーハンドルの回動操作に連動して上下動する本体部と、前記本体部に固定され、上下方向に回転軸が向けられた駆動モータと、前記駆動モータの回転軸に着脱可能に取り付けられたキャップ押え部と、前記本体部の下方で前記支持部に水平方向に進退動自在に支持され且つ後退方向に弾性付勢されたスイライド部と、前記スライド部の先端部に回転自在且つ着脱可能に取り付けられたカシメローラと、両端が所定角度範囲で揺動自在となるように両端間が前記支持部に支持されるとともに、一端側が前記スライド部と係合し、揺動に伴い前記スライド部を進出動させる揺動体と、前記本体部の下部に突出状に設けられ、該本体部の下降時に前記揺動体の他端側に当接して該揺動体を押圧することにより該揺動体を揺動させて前記スイライド部を進出動させる押圧部と、を備えることを特徴とする。
【０００８】
かしめるべきキャップを嵌着した容器の周側面の２か所に当接可能な一対のテーパー面を備え且つ前記回転テーブル上で前後移動可能に設置されたガイド体と、該ガイド体に係合させたネジにより該ガイド体の前後移動位置を調節する位置調節機構と、を更に備えることが好ましい。
【０００９】
前記レバーハンドルのハンドル部に、前記駆動モータの起動スイッチが取り付けられていることが好ましい。
【００１０】
前記キャップ押え部がかしめるべきキャップに当接した後に前記カシメローラが該キャップの下部周囲に当接するように、前記キャップ押え部と前記押圧部の高さ位置が設定されていることが好ましい。
【００１１】
前記押圧部は、高さ位置調節機構を備えることが好ましい。
【考案の効果】
【００１２】
本考案によれば、水平軸回りにレバーハンドルを回動操作することにより、本体部が下降して、キャップ押え具が容器のキャップを押え、更に、押圧部が揺動体を押圧することでカシメローラは水平方向に進出して容器のキャップの下部周囲に押しつけられ、駆動モータを回転させることで容器とキャップが回転し、キャップの下部周囲がかしめられる。揺動体が所定角度範囲で揺動することで、カシメローラは、所定距離だけ水平方向に進出動し、一定のかしめ度合いでキャップをかしめることができる。また、レバーハンドルは水平軸回りに回動操作するが、レバーハンドルを下げる方向は重力の作用する方向であるため、レバーハンドルの操作労力が軽減され得る。さらに、キャップ押え部とカシメローラを着脱自在としたので、キャップ押え部とカシメローラを、かしめるべきキャップのサイズやキャップを嵌着した容器（瓶）のサイズに合わせて適宜交換することにより、様々なサイズのキャップ、容器（瓶）に対応可能である。
【図面の簡単な説明】
【００１３】
【図１】本考案に係るカシメ機の一実施形態を示す斜視図である。
【図２】図１のカシメ機を反対側から見た斜視図である。
【図３】図１のカシメ機の要部を拡大して示す部分断面側面図である。
【図４】図１のカシメ機の構成要素である揺動体を拡大して示す斜視図である。
【図５】図１のカシメ機の一部を拡大して示す部分断面側面図である。
【図６】図１のカシメ機の他の使用状態を一部を拡大して示す部分断面側面図である。
【図７】従来の手動式カシメ機を示す斜視図である。
【考案を実施するための形態】
【００１４】
本考案に係るカシメ機の一実施形態について、以下に図１〜図６を参照して説明する。図１及び図２は本考案に係るカシメ機の一実施形態を示す斜視図であり、図３は要部を拡大して示す部分断面側面図である。
【００１５】
カシメ機１は、基台部２と、基台部２上に回転自在に設けられた回転テーブル３と、基台部２に立設固定された支持部４と、支持部４に水平軸回りに回動操作可能に支持されたレバーハンドル５と、支持部４に上下動可能に支持され、レバーハンドル５の回動操作に連動して上下動する本体部６と、本体部６に固定され、上下方向に回転軸７ａが向けられた駆動モータ７と、駆動モータ７の回転軸７ａに着脱可能に取り付けられたキャップ押え部８と、本体部６の下方で支持部４に水平方向に進退動自在に支持され且つ後退方向に弾性付勢されたスライド部９と、スライド部９の先端部に回転自在且つ着脱可能に取り付けられたカシメローラ１０と、両端が所定角度範囲で揺動自在となるように両端間が支持部４に支持されるとともに、一端側１１ａがスライド部９と係合し、揺動に伴いスライド部９を進出動させる揺動体１１と、本体部６の下部に突出状に設けられ、本体部６の下降時に揺動体１１の他端側１１ｂに当接して揺動体１１を押圧することにより揺動体１１を揺動させてスライド部９を進出動させる押圧部１２と、を備えている。
【００１６】
基台部２は、金属製の重量物で形成されている。回転テーブル３は、裏面に突設された図示しない軸を基台部２上に固定した円板型の台座１３の中央部に形成されている軸穴（付図示）に嵌入させることにより、台座１３上で回転自在に載置されている。
【００１７】
支持部４は、基台部２の端部に嵌入固定した、円柱状の支柱により形成されている。支持部４は、円柱状に限定されない。
【００１８】
レバーハンドル５は、支持部４に締付け固定されたブラケット１４に取り付けられている。ブラケット１４は、図２を参照すれば、一部が途切れたリング状部分１４ａと、締付けネジ取り付け部１４ｂとを備えており、締付けネジ１５で締め付けることで、支持部４に固定される。ブラケット１４は、図１を参照すれば、水平方向を軸線とする軸１６が取り付けられ、この軸１６にリンク１７が回転可能に取り付けられている。リンク１７に軸受け１８が回転可能に取り付けられ、軸受け１８にレバーハンドル５の基端部が挿入固定されることにより、レバーハンドル５が水平軸回りに回動操作可能に支持されている。レバーハンドル５は、さらに、本体部６の側面に回転可能に取り付けられた軸受け１９に挿入されている。
【００１９】
本体部６は、上下に支持部４を挿通する軸受け部６ａ、６ｂを備え、下方の軸受け部６ｂはブラケット１４の下に配置され、上方の軸受け部６ａは支持部４に外挿されたコイルバネ２０の上端部に当接している。コイルバネ２０の下端部はブラケット１４に載っている。したがって、レバーハンドル５を図１の矢印方向に回動操作し、コイルバネ２０の弾性力に抗してハンドル部５ａを下方に下げれば、本体部６が支持部４を下方に摺動する。本体部６の下部に、側方へ突出するブラケット６ｃが形成され、このブラケット６ｃはブラケット１４と類似構造であり、締付けネジ６ｄを締付けることによって、駆動モータ７が締付け固定されている。駆動モータ７の起動スイッチ７ｂは、レバーハンドル５のハンドル部５ａの後端部に取り付けられており、ハンドル部５ａを握りながら、親指で起動スイッチ７ｂを押すことができ、作業性が良い。なお、駆動モータ７の配線類は、図示都合上、図示省略している。
【００２０】
キャップ押え部８は、図３を参照すれば、駆動モータ７の回転軸７ａを受け入れる凹部８ａを備え、凹部８ａに挿入された回転軸７ａの側方から固定ネジ８ｂを螺入することにより、回転軸７ａに固定されている。したがって、固定ネジ８ｂを螺脱すれば、キャップ押え部８を回転軸７ａから容易に抜脱できる。キャップ押え部８は、軸方向長さ寸法や直径の異なる複数種類のものを用意しておいて、かしめるべきキャップの寸法や該キャップを嵌着した容器(瓶)の寸法に合わせて取り換えることで、種々寸法のキャップ及び容器（瓶）に対応可能である。
【００２１】
スライド部９は、支持部４に固定されたブラケット２１に取り付けられている。ブラケット２１は、上述のブラケット１４と同様の構造を有し、締付けネジ２２によって支持部４に締付け固定できる。締付けネジ２２を緩めれば、ブラケット２１を支持部４に沿って上下動させることができ、高さ方向の位置調節が可能である。ブラケット２１の下部に微調整ナット２３が設けられ、微調整ナット２３は支持部４に固定された外ネジリング２４に螺嵌されている。したがって、締付けネジ２２を緩めておいて、微調整ナット２３を回すことで、ブラケット２１の高さを微調整可能である。図３を参照すれば、ブラケット２１には、水平方向の軸穴２２ａが形成され、この軸穴２２ａにスライド部９のスイライド軸９ａを摺動可能に受け入れることにより、スイライド部９が水平方向に進退動可能に支持されている。また、図１を参照すれば、ブラケット２１とスライド部９とが、コイルバネ２５によって連結されており、このコイルバネ２５によりスライド部９は後退方向、即ち、ブラケット２１の側に弾性付勢されている。
【００２２】
カシメローラ１０は、図３を参照すれば、スライド部９の先端に挿入されたネジ２６及びネジ２６に螺合させたナット２７によって、スライド部９の下部に取り付けられている。カシメローラ１０は、内周部にラジアルベアリング２８が取り付けられている。ラジアルベアリング２８内にブッシュ２９が挿入され、ブッシュ２９内にネジ２６が挿通されている。カシメローラ１０は、ネジ２６からナット２７を螺脱することにより、容易に取り外すことができる。キャップ押え部８と同様に、カシメローラ１０は、直径の異なる複数種類のものを用意しておいて、かしめるべきキャップの寸法に合わせて取り換えることで、種々寸法のキャップに対応可能である。
【００２３】
揺動体１１は、図３を参照すれば、支持部４に締付け固定されたブラケット２１に、スペーサ３０及び位置決めプレート３１を介して、ネジ３２によって揺動可能に取り付けられている。スペーサ３０及び位置決めプレート３１は、ネジ３３によってブラケット２１に固定される。位置決めプレート３１のネジ挿入穴３１ａは長穴になっていて、位置決めプレート３１を図３の左右方向に位置調整が可能であり、該位置調整により揺動体１１を図３の左右方向に位置調節することができる。揺動体１１のネジ穴１１ａも長穴になっていて、揺動体１１の揺動を許容する。揺動体１１は、図３及び図４を参照すれば、鈍角に曲折されており、一端側が、スライド軸９ａを跨ぐような二股状に形成され、スライド部９の端面に当接することにより、スライド部９と係合している。揺動体１１が図３の点線で示すように揺動することにより、スライド部９が進出方向に押し出される。揺動体１１は、揺動によって他端側が位置決めプレート３１に当接することにより、最大揺動範囲が規定され、スライド部９の進出距離が規定される。
【００２４】
なお、揺動体１１は、曲折された形状のものを例示しているが、これに限定されるものではなく、テコのようにして一端側を押すことで、他端側がスライド部９を押し出す機構を有するものであればよく、湾曲させた円弧状とすることもできるし、曲折又は湾曲されていないストレートの平板状等、他の種々形状を採用することもできる。
【００２５】
押圧部１２は、図３を参照すれば、本体部６の下端部に固定された取付部３４に取り付けられている。押圧部１２は、円板型の大径の摘み部１２ａと、摘み部１２ａの中心を上下に貫通し留めネジ１２ｂで固定された雄ネジ部１２ｃと、を備えている。雄ネジ部１２ｃの下端は、摘み部１２ａから下方に突出させてある。取付部３４にはネジ穴３４ａが形成されており、このネジ穴３４ａに雄ネジ部１２ｃが螺入されている。
【００２６】
図１に示すようにハンドル部５ａを上から下ろすようにレバーハンドル５を回動させて、本体部６を下方に移動させると、図３に点線で示すように、押圧部１２の下端が揺動体１１の他端側に当接して揺動体１１を揺動させ、スライド部９を進出動させて、カシメローラ１０を、容器ＢのキャップＣの下部周囲に押し当てる。カシメローラ１０をキャップＣの下部周囲に押し当てた状態で、起動スイッチ７ｂを押せば、駆動モータ７の回転により、キャップ押え部８を通じて、キャップＣ付き容器Ｂが容器Ｂを載置している回転テーブル３と共に回転し、キャップＣの下部周囲の全周が、かしめられる。
【００２７】
キャップ押え部８がキャップＣに当接した後にカシメローラ１０がキャップの下部周囲に当接するように、キャップ押え部８と押圧部１２の高さ位置が設定されている。
【００２８】
図５に示すように、摘み部１２ａと取付部３４との間にリング状のスペーサ３５を配置することにより、押圧部１２の高さ位置を調節することができる。押圧部１２の高さ位置を調節することにより、寸法の異なるキャップＣに対応することができる。
【００２９】
図２を参照すれば、かしめるべきキャップを嵌着した容器の周側面の２か所に当接可能な一対のテーパー面３６ａ、３６ｂを備え且つ回転テーブル３上で前後移動可能に設置されたガイド体３６が備えられている。
【００３０】
更に、図６を参照すれば、ガイド体３６に係合させたネジ３７によりガイド体３６の前後移動位置を調節する位置調節機構が構成されている。ネジ３７は、基台部２に立設され台座１３に固定されたネジ受け３８に螺入されている。ネジ３７の先端部には、周面にキー溝３７ａが形成されている。ガイド体３６にはキーネジ３９が螺入されており、このキーネジ３９がキー溝３７ａに係合している。したがって、ネジ３７の頭部３７ｂを摘まんで回せば、ネジ受け３８にネジ３７が螺入又は螺脱されることにより、ネジ３７が前後移動するのに伴い、ガイド体３６が前後移動する。ネジ３７の位置を調節することにより、ガイド体３６の前後移動位置を調節することができる。
【符号の説明】
【００３１】
１  カシメ機
２  基台部
３  回転テーブル
４  支持部
５  レバーハンドル
５ａ  ハンドル部
６  本体部
７  駆動モータ
７ｂ  起動スイッチ
８  キャップ押え部
９  スライド部
１０  カシメローラ
１１  揺動体
１２  押圧部
３６  ガイド体
【図１】
0003161429.tif 000003
【図２】
0003161429.tif 000004
【図３】
0003161429.tif 000005
【図４】
0003161429.tif 000006
【図５】
0003161429.tif 000007
【図６】
0003161429.tif 000008
【図７】
0003161429.tif 000009